(57)【特許請求の範囲】
【請求項１】
録画機能を備えるＴＶ放送受信機と携帯端末により構成されるＴＶ番組予約システムであって、
前記ＴＶ放送受信機は、
視聴番組履歴情報を蓄積する蓄積手段、
番組予約手段、
前記視聴番組履歴情報から次回番組を予測する予測手段、
前記予測手段で予測した次回番組情報を携帯端末へ送信する送信手段を備え、
前記携帯端末は、
前記ＴＶ放送受信機から次回番組情報を受信する受信手段、
前記受信した次回番組情報に基づいて次回番組の開始を判断する判断手段、
前記判断手段が次回番組の開始を判断したとき、次回番組の開始の旨を報知する手段、
前記ＴＶ放送受信機の番組予約手段に対し、番組予約の指示を行う番組予約指示手段を備える、
ことを特徴とする、ＴＶ番組予約システム。
【請求項２】
視聴番組履歴情報を蓄積する蓄積手段、番組予約手段、前記視聴番組履歴情報から次回番組を予測する予測手段、前記予測手段で予測した次回番組情報を外部へ送信する送信手段を備えた録画機能を備えるＴＶ放送受信機に対し、番組録画の予約を行う携帯端末であって、
前記ＴＶ放送受信機から次回番組情報を受信する受信手段、
前記受信した次回番組情報に基づいて次回番組の開始を判断する判断手段、
前記判断手段が次回番組の開始を判断したとき、次回番組の開始の旨を報知する手段、
前記ＴＶ放送受信機の番組予約手段に対し、番組予約の指示を行う番組予約指示手段を備える、ことを特徴とする、携帯端末。
【発明の詳細な説明】
【０００１】
【産業上の利用分野】
この発明は携帯端末電話機を利用したＴＶ番組予約システムに関し、特にたとえばＴＶ放送受信機に蓄積されている視聴番組履歴情報を携帯端末電話機で受信してこの情報に基づきユーザが希望する番組を外出先等の遠隔より予約することができる携帯端末電話機を利用したＴＶ番組予約システムに関する。
【０００２】
【従来の技術】
近年、通信技術の目覚ましい進歩発展に伴い、電子機器、例えばエアコン、電気炊飯器あるいはビデオテープレコーダ等を電話回線などのネットワークを利用して端末装置から遠隔制御を行うことができる遠隔制御システムが実用化されている。
【０００３】
例えば、電話回線を介して所定の遠隔制御信号を送信することによりＴＶ放送受信機に接続されたＶＴＲに希望するＴＶ番組の録画予約を行うことができる。
【０００４】
【発明が解決しようとする課題】
しかしながら、上述の場合、ユーザはＶＴＲ等の遠隔制御を希望通りに行うことができないことがある。すなわち、遠隔制御としては、たとえば外出先から録画予約を行う場合においては、録画するＴＶ番組のチャンネルや、録画の開始時刻と終了時刻を指定する必要があるが、ユーザがそのような遠隔制御に必要な情報を持ち合わせて外出していることが少なく、また記憶していることも少ない。
【０００５】
このために、誤ったチャンネルや開始時刻などが指定されると、ユーザが希望するＴＶ番組の録画が行われないという問題がる。また、ユーザが普段よく視聴している連続番組や特集番組を次回も視聴しようと思っていても、つい忘れる場合がある。そのために視聴番組履歴情報を蓄積して、この情報に基づき外出先から希望する連続番組等を遠隔制御により予約できれば大変便利である。
【０００６】
それゆえに、この発明の主たる目的は、ユーザが視聴している番組を視聴番組履歴情報としてＴＶ受信機内に蓄積し、その蓄積データをユーザの携帯端末電話機に転送し、視聴番組履歴情報に基づき番組予約サービスが可能となる携帯端末電話機を利用した番組予約システムを提供することである。
【０００７】
【課題を解決するための手段】
この発明は、視聴番組履歴情報を蓄積する蓄積手段および番組予約手段を含むＴＶ放送受信機、および視聴番組履歴情報を受信して表示する表示手段および番組予約指示手段を含む携帯端末電話機を備え、表示手段に表示された番組情報を確認して番組予約指示手段により希望する番組を携帯端末電話機によりＴＶ放送受信機の番組予約手段に登録するようにした、携帯端末電話機を利用したＴＶ番組予約システムである。
【０００８】
【作用】
ＴＶ放送受信機に蓄積された視聴番組履歴情報を携帯端末電話機に転送して表示手段に表示することで、ユーザは普段よく視聴している番組の開始前にその番組情報を知る。また、番組情報を確認して希望する番組を携帯端末電話機で遠隔よりＴＶ放送受信機に予約登録できる。
【０００９】
なお、視聴番組履歴情報は、ＴＶ放送受信機から転送されたものでもよく、また他の携帯端末電話機から転送されたものでもよい。
【００１０】
【発明の効果】
この発明によれば、ユーザの視聴番組履歴情報に基づき外出先等から遠隔制御により希望する番組をＴＶ放送受信機に予約登録することができ、有効な番組情報サービスが提供できる。
【００１１】
この発明の上述の目的、その他の目的、特徴および利点は、図面を参照して行う以下の実施例の詳細な説明により一層明らかとなろう。
【００１２】
【実施例】
図１に示すこのＴＶ番組予約システム１０は、ＴＶ画面１２、ユーザが視聴した番組の視聴番組履歴情報を蓄積するデータ蓄積部１４、後述のユーザが所有する携帯端末電話機２８からの指示により番組を予約登録する番組予約登録部１６、およびＴＶ番組を録画するＶＴＲ１８を内蔵するＴＶ放送受信機２０と、このＴＶ放送受信機２０のデータ蓄積部１４より転送される視聴番組履歴情報を受信する受送信部２２、この受送信部２２で受信された視聴番組履歴情報を表示する液晶表示部２４、およびこの表示部２４に表示された番組情報をユーザが確認して希望する番組を前述のＴＶ放受信機２０の番組予約登録部１６に指示するキーボード等の番組予約指示部２６を備える携帯端末電話機２８とにより構成されている。さらに、他の携帯端末電話機３０および他のＴＶ放送受信機３２も必要に応じてこのＴＶ番組予約システム１０に追加して設けてもよい。この場合には、他の携帯端末電話機３０、および他のＴＶ放送受信機３２の構成は、共に前述の携帯端末電話機２８とＴＶ放送受信機２０と同様につき、対応部分に同一符号を付してその説明を省略する。
【００１３】
ここでいう、携帯端末電話機２８、３０としては、いわゆる携帯電話機の他、ＰＨＳや、他の任意の移動電話機を含むことを予め理解されたい。
【００１４】
そして、ＣＳ（通信衛星）ディジタル放送では、イベントＩＤ、タイトルおよび番組開始／終了時刻などの番組情報が送信されており、この番組情報を元に視聴番組履歴情報を構築することができる。例えば、蓄積される番組履歴情報としては、▲１▼番組予約が実行された番組、▲２▼購入された番組、▲３▼番組放送時間の例えば８０％以上視聴された番組などがある。また、番組履歴情報から次回番組の予測情報としては、▲１▼番組情報の同じシリーズＩＤを持つ番組、▲２▼同一時刻の番組（１週間または１日単位）、▲３▼タイトルが同じ番組（ジャンル情報が映画などでないもの）などがある。
【００１５】
ここで、ＴＶ放送受信機から携帯端末電話機への視聴番組履歴情報を転送するために、新しく追加する機能としては、次のものが必要となる。
【００１６】
ＴＶ側では、
（１）視聴履歴保持プログラム
（２）次回番組予測プログラム
（３）携帯端末電話機との接続端子
（４）携帯端末電話機への視聴履歴情報／次回番組予測情報の送信プログラム
携帯端末側では、
（１）ＴＶ放送受信機との接続端子
（２）携帯端末電話機への視聴履歴情報／次回番組予測情報の受信プログラム
更に、ＴＶ放送受信機へ番組予約指示を行う場合、ＣＳディジタル放送受信機には、モデムが搭載されており、また、課金情報のアップロードやボーティング（番組投票）を行っている。従って、このモデムを利用すれば、携帯端末電話機からの予約情報を着信することができる。
【００１７】
また、ＣＳディジタル放送受信機では、番組予約機能が搭載されており、前述のモデムで受信した予約情報を用いて番組予約を行えば、既存の番組予約機能により、予約を実行することができる。
【００１８】
この場合、ＴＶ側および携帯端末側に新しく追加する機能としては、つぎのものが必要となる。
【００１９】
ＴＶ側では、
（１）モデム着信プログラム
（２）携帯端末電話機からの予約情報受信プログラム
（３）携帯端末電話機から受信した予約情報を既存の予約情報に追加するプログラム
携帯端末側では、
（１）次回番組の開始メッセージの表示プログラム
（２）次回番組の予約受付プログラム
（３）ＴＶ放送受信機への予約情報の送信プログラム
（４）番組一覧表表示プログラム
そして、携帯端末電話機の相互間で番組情報の転送を行う場合、携帯端末電話機間の既存の通信機能を使用すれば、番組情報の送受信が可能である。また、その番組情報を元にＴＶへの番組予約ができる。
【００２０】
この場合、携帯端末電話機に新に追加する機能は、つぎのものが必要となる。
（１）携帯端末電話機への番組情報送信プログラム
（２）携帯端末電話機からの番組情報受信プログラム
ここで、実施例に示すＴＶ番組予約システム１０の動作概要について説明する。
【００２１】
先ず、ＴＶ放送受信機２０のデータ蓄積部１４よりユーザの携帯端末電話機２８に、例えば蓄積されているユーザの視聴番組履歴情報を携帯端末電話機２８からの指示に基づき転送する。この番組情報は送受信部２２で受信されて携帯端末電話機２８の液晶表示部２４に適宜表示されて、ユーザにこの番組情報をメッセージとして伝達する。そこで、ユーザは表示された番組情報を確認して普段よく見る番組情報で今回も視聴を希望する場合、携帯端末電話機２８の番組予約指示部２６に指示することにより、ＴＶ放送受信機２０の番組予約登録部１６に登録される。この場合、念のためにＶＴＲ１８にも録画予約をすることもできる。登録される内容としては、例えば、チャンネル、番組開始時刻および終了時刻であり、もちろん希望すれば複数の番組を登録することもできる。
【００２２】
また、ユーザが携帯端末電話機２８で受信した視聴番組履歴情報を友人や知人あるいは仲間に転送したい場合には、彼等が所有する他の携帯端末電話機３０に送信すれば、彼等自身が所有する携帯端末電話機３０の液晶表示部２４に転送された視聴番組履歴情報が表示されるので、その番組情報を確認できる。そして、希望する番組情報があれば、彼等は自分の携帯端末電話機３０の番組予約指示部２６より自分の家庭に備え付けているＴＶ放送受信機３２の番組予約登録部１６にチャンネル、番組開始時刻および終了時刻を登録する。この場合にもＴＶ放送受信機３２に備え付けのＶＴＲ１８に録画予約をすることもできる。
【００２３】
そして、図１に示す様に、友人や知人あるいは仲間の携帯端末電話機３０からユーザの携帯端末電話機２８への視聴番組履歴情報を逆転送することもできる。
【００２４】
なお、この実施例では、ＴＶ放送受信機および携帯端末電話機が共に２台のＴＶ番組予約システムについて説明したが、共に３台以上のシステムであってもその動作は同じである。
【００２５】
次に、図２〜図４に示すフローチャートに基づきＴＶ側から携帯端末側への視聴履歴情報の転送、携帯端末側からＴＶ側への番組予約、および携帯端末相互間での番組情報の転送について説明する。
【００２６】
図２において、ＴＶ側では、最初ステップＳ１で視聴履歴保持と視聴履歴から次回番組の予測を行う。そして、ステップＳ３では携帯端末電話機２８への転送指示があるか否かをＣＰＵで判断し、その結果が“ＮＯ”であればステップＳ１へ戻り、“ＹＥＳ”であればステップＳ５に進む。ステップＳ５では携帯端末電話機２８が接続されているか否かを判断し、その結果“ＮＯ”であれば、ステップＳ１に戻り、“ＹＥＳ”であれば、ステップＳ７に進み、ここで携帯端末電話機２８へ視聴履歴情報を転送する。
【００２７】
一方、携帯端末電話機側では、ステップＳ９でＴＶ放送受信機２０に接続し、ステップＳ１１でＴＶ放送受信機２０から視聴履歴情報を送受信部で受信する。
【００２８】
次に、図３において、携帯端末電話機２８において、ステップＳ１３で次回番組の開始時刻か否かをＣＰＵで判断し、その結果が“ＮＯ”であれば、そのまま待機し、“ＹＥＳ”であればステップＳ１５に進み、液晶表示部２４に番組開始のメッセージ表示を行う。また、平行して、ステップＳ１７でメニューの番組一覧表示が選択されたか否かを判断し、その結果が“ＮＯ”であれば、そのまま待機し、“ＹＥＳ”であればステップＳ１９に進み、液晶表示部２４に番組一覧表示を行う。そして、ステップＳ２１では、番組予約指示があるか否かを判断し、その結果が“ＮＯ”であればステップＳ１３に戻る。ステップＳ２１の結果が“ＹＥＳ”であれば、ステップＳ２３で番組予約指示部２６によりＴＶ放送受信機２０へ予約指示を行う。
【００２９】
一方、ＴＶ側では、ステップＳ２５で携帯端末電話機２８から着信があるか否かを判断し、その結果が“ＮＯ”であればそのまま待機し、“ＹＥＳ”であればステップＳ２７に進む。ステップＳ２７では携帯端末電話機２８からの予約情報を受信してステップＳ２９に進み、このステップＳ２９で通常の予約情報に受信した予約を追加して番組予約登録部１６に登録する。
【００３０】
さらに、図４において、ステップＳ１で携帯端末電話機２８に他の携帯端末電話機３０よりメニューの番組情報送信が選択されたか否かを判断し、その結果が“ＮＯ”であればそのまま待機し、“ＹＥＳ”であればステップＳ３に進む。ステップＳ３では、送信する番組を選択すると共に送信先の電話番号を入力てステップＳ５に進み、ここで選択された番組情報を送信する。
【００３１】
一方、他の携帯端末電話機３０では、ステップＳ７で携帯端末電話機２８から着信があるか否かを判断し、その結果が“ＮＯ”であれば、そのまま待機し、“ＹＥＳ”であれば、番組情報を受信する。そして、受信した番組情報に基づき自分が所有する他のＴＶ放送受信機３２にその番組を予約登録する。
【図面の簡単な説明】
【図１】この発明の一実施例を示すＴＶ番組予約システムの概略構成図である。
【図２】ＴＶ放送受信機から携帯端末電話機への視聴番組履歴情報の転送を行う場合の概要を示すフローチャートである。
【図３】携帯端末電話機における番組開始のメッセージおよび番組予約指示を行う場合の概略を示すフローチャートである。
【図４】携帯端末電話機で受信した番組情報を他の携帯端末電話機へ転送する場合の概要を示すフローチャートである。
【符号の説明】
１０  …ＴＶ番組予約システム
１２  …ＴＶ画面
１４  …データ蓄積部
１６  …番組予約登録部
１８  …ＶＴＲ
２０、３２  …ＴＶ放送受信機
２２  …受送信部
２４  …液晶表示部
２６  …番組予約指示部
２８、３０  …携帯端末電話機
【図１】
0004079559.tif 000002
【図２】
0004079559.tif 000003
【図３】
0004079559.tif 000004
【図４】
0004079559.tif 000005